(57)【特許請求の範囲】
【請求項１】
前面に開閉式操作部を有する加熱調理器本体を流し台の上面開口部から挿入し、流し台の前面開口部に前記開閉式操作部を臨ませて設置し、前記開閉式操作部に取り付けられ前記開閉式操作部の前面を覆う操作部カバーを備え、前記操作部カバーに流し台の前面開口部と加熱調理器本体側方との隙間を覆う延長部を備えた組込式加熱調理器において、前記開閉式操作部の前記延長部側の側面に係合突起を設け、前記操作部カバーには前記開閉式操作部側面に沿って奥側へ伸びるフランジを設け、前記係合突起と前記フランジに設けた係合穴とが横方向に係合する構成とし、さらに前記延長部とは反対側の前記開閉式操作部側面に、前記操作部カバーを前記開閉式操作部前方から覆うように当接することにより両者を係合する係合手段を設け、前記操作部カバーを前記開閉式操作部に取り付ける際、先に前記操作部カバーの前記延長部側で前記係合突起と前記係合穴とを横方向に係合してから、前記延長部とは反対側の前記開閉式操作部側面に沿って前方から奥方向へ押して移動させることにより前記操作部カバーと前記開閉式操作部との係合を行うよう構成することにより、前記操作部カバーの前記延長部に加えた手前方向の荷重に対し、前記操作部カバーが前記開閉式操作部から外れにくくした組込式加熱調理器。
【請求項２】
前記操作部カバーの前記延長部とは反対側の前記開閉式操作部側面における前記操作部カバーと前記開閉式操作部との係合手段として、前記操作部カバーに係合爪を、前記開閉式操作部側面には前記係合爪が嵌合する係合溝を設け、係合状態において前記係合爪および前記操作部カバー側面は前記開閉式操作部側面より突出しない、請求項１に記載の組込式加熱調理器。
【請求項３】
前記開閉式操作部前面に凸状または凹状の位置決め部を設け、前記位置決め部と対向した前記操作部カバーの裏面に凹状または凸状の位置決め部を設け、両者が前記開閉式操作部側面にて係合される際、前記両者の位置決め部が嵌合される、請求項１または２に記載の組込式加熱調理器。
【請求項４】
前記操作部カバーと前記開閉式操作部との係合部を前記開閉式操作部前面にも設けた、請求項１〜３のいずれか１項に記載の組込式加熱調理器。
【請求項５】
前記開閉式操作部内に発光ダイオードを備え、前記開閉式操作部前面の、前記発光ダイオードに対応した位置に導光部を設け、前記操作部カバーには、前記導光部に対応した位置に、前記発光ダイオードの点灯を前記操作部カバー前面から認識可能とする光透過部を設けた、請求項１〜４いずれか１項に記載の組込式加熱調理器。
【請求項６】
前記開閉式操作部前面の前記導光部周囲に、前記操作部カバー側へ突き出す、周囲への光洩れを防止するための遮光壁を設け、前記操作部カバーが前記開閉式操作部に係合する際、前記遮光壁が嵌まり込む凹部を前記操作部カバー裏面の前記光透過部周囲に設けた、請求項５に記載の組込式加熱調理器。
【発明の詳細な説明】
【技術分野】
【０００１】
本発明は、流し台等に組込まれて使用される、開閉式操作部を有する組込式加熱調理器に関するものである。
【背景技術】
【０００２】
従来、調理器本体を流し台の上面開口部から挿入し、流し台の前面開口部に調理器本体の前部を臨ませるように設置した組込式調理器において、前面開口部は上面開口部よりも幅広いため、調理器本体左右側面と流し台の前面開口部との間に空間が生じる。
【０００３】
そのため、調理器本体設置後に、調理器本体左右側方と流し台前面開口部との空間を、サイドカバーにて覆う必要がある（例えば、特許文献１参照）。
【０００４】
しかしながら、サイドカバーと調理器本体との間に隙間や段差が生じやすく、一体感に欠け、外観が損なわれるという課題があるため、開閉式操作部を有するものにあっては、その操作部前面に、流し台前面開口部までを覆う操作部カバーを設けることにより、前記課題を解決したものがある（例えば、特許文献２参照）。
【０００５】
図１５は、従来の操作部カバーの略構成図である。開閉式操作部１の左右側面にはフランジ１ａが設けてあり、このフランジ１ａと対向した操作部カバー２の位置にコ字状の受け部２ａが設けられている。この受け部２ａを開閉式操作部１の上部から左右のフランジ１ａに沿ってスライドさせて嵌合している。
【０００６】
図１６は、もうひとつの従来の操作部カバーの略構成図である。開閉式操作部１正面の適宜位置に凸状または凹状の係合部１ｂを設け、この係合部１ｂと対向した操作部カバー２の裏面に凹状または凸状の係合部２ｂを設け、両者を係合している。
【特許文献１】特開２００７−８５６０８号公報
【特許文献２】特開２００７−６４５８５号公報
【発明の開示】
【発明が解決しようとする課題】
【０００７】
しかしながら、前記従来の構成では、操作部カバー左右のコ字状受け部を左右同時に開閉式操作部のフランジにスライドするため、操作部カバーやコ字状受け部に変形や反りがある場合、スライドしづらく装着が困難であるという課題を有していた。
【０００８】
さらに、もうひとつの前記従来の構成では、係合部が操作部カバー裏面に設けてあり、操作部カバーを取り付ける際、係合部が隠れた位置となるため目視にて確認できず、それに加え、複数箇所の係合部を同時に係合しなければならないため、取り付け作業が困難であるという課題を有していた。
【０００９】
本発明は、前記従来の課題を解決するもので、操作部カバーを容易に装着でき、かつ外れにくい構成とした組込式加熱調理器を提供することを目的とする。
【課題を解決するための手段】
【００１０】
前記従来の課題を解決するために、本発明の組込式加熱調理器は、前面に開閉式操作部を有する加熱調理器本体を流し台の上面開口部から挿入し、流し台の前面開口部に前記開閉式操作部を臨ませて設置し、前記開閉式操作部に取り付けられ前記開閉式操作部の前面を覆う操作部カバーを備え、前記操作部カバーに流し台の前面開口部と加熱調理器本体側方との隙間を覆う延長部を備えた組込式加熱調理器において、前記開閉式操作部の前記延長部側の側面に係合突起を設け、前記操作部カバーには前記開閉式操作部側面に沿って奥側へ伸びるフランジを設け、前記係合突起と前記フランジに設けた係合穴とが横方向に係合する構成とし、さらに前記延長部とは反対側の前記開閉式操作部側面に、前記操作部カバーを前記開閉式操作部前方から覆うように当接することにより両者を係合する係合手段を設け、前記操作部カバーを前記開閉式操作部に取り付ける際、先に前記操作部カバーの前記延長部側で前記係合突起と前記係合穴とを横方向に係合してから、前記延長部とは反対側の前記開閉式操作部側面に沿って前方から奥方向へ押して移動させることにより前記操作部カバーと前記開閉式操作部との係合を行うよう構成することにより、前記操作部カバーの前記延長部に加えた手前方向の荷重に対し、前記操作部カバーが前記開閉式操作部から外れにくくしたものである。
【００１１】
これによって、係合部が露出しているため、目視で確認しながら操作部カバーを取り付けることができ、操作部カバーの左右を片方ずつ係合していくので、その作業は容易である。さらに、操作部カバーの延長部に外力を加えられた場合、延長部にたわみが生じても、係合部が外れることはない。
【発明の効果】
【００１２】
本発明の組込式加熱調理器は、操作部カバーの装着が容易に行え、かつ外れにくくしたものである。
【発明を実施するための最良の形態】
【００１３】
第１の発明は、前面に開閉式操作部を有する加熱調理器本体を流し台の上面開口部から挿入し、流し台の前面開口部に前記開閉式操作部を臨ませて設置し、前記開閉式操作部に取り付けられ前記開閉式操作部の前面を覆う操作部カバーを備え、前記操作部カバーに流し台の前面開口部と加熱調理器本体側方との隙間を覆う延長部を備えた組込式加熱調理器において、前記開閉式操作部の前記延長部側の側面に係合突起を設け、前記操作部カバーには前記開閉式操作部側面に沿って奥側へ伸びるフランジを設け、前記係合突起と前記フランジに設けた係合穴とが横方向に係合する構成とし、さらに前記延長部とは反対側の前記開閉式操作部側面に、前記操作部カバーを前記開閉式操作部前方から覆うように当接することにより両者を係合する係合手段を設け、前記操作部カバーを前記開閉式操作部に取り付ける際、先に前記操作部カバーの前記延長部側で前記係合突起と前記係合穴とを横方向に係合してから、前記延長部とは反対側の前記開閉式操作部側面に沿って前方から奥方向へ押して移動させることにより前記操作部カバーと前記開閉式操作部との係合を行うよ
う構成することにより、前記操作部カバーの前記延長部に加えた手前方向の荷重に対し、前記操作部カバーが前記開閉式操作部から外れにくくしたものであり、係合部が露出しているため、目視で確認しながら操作部カバーを取り付けることができ、操作部カバーの左右を片方ずつ係合していくので、その作業は容易である。さらに、操作部カバーの延長部に外力を加えられた場合、延長部にたわみが生じても、係合部が外れることはない。
【００１４】
第２の発明は、特に、第１の発明の前記操作部カバーの前記延長部とは反対側の前記開閉式操作部側面における前記操作部カバーと前記開閉式操作部との係合手段として、前記操作部カバーに係合爪を、前記開閉式操作部側面には前記係合爪が嵌合する係合溝を設け、係合状態において前記係合爪および前記操作部カバー側面は前記開閉式操作部側面より突出しないものであり、操作部カバー側面やその係合爪に不意に手指などが引っ掛かることがないため、意図せず係合部が外れることはない。
【００１５】
第３の発明は、特に、第１または第２の発明の前記開閉式操作部前面に凸状または凹状の位置決め部を設け、前記位置決め部と対向した前記操作部カバーの裏面に凹状または凸状の位置決め部を設け、両者が前記開閉式操作部側面にて係合される際、前記両者の位置決め部が嵌合されるものであり、操作部カバーと開閉式操作部のガタつきを抑制することができ、良好な係合状態を得ることができる。さらに、操作部カバーに横方向の衝撃荷重が加えられた際、位置決め部にて操作部カバーと開閉式操作部とが接触し衝撃を受け止めるため、係合部へ加わる応力を緩和することができ、安定した係合を維持することができる。
【００１６】
第４の発明は、特に、第１〜３のいずれか１つの発明の前記操作部カバーと前記開閉式操作部との係合部を前記開閉式操作部前面にも設けたものであり、操作部カバーと開閉式操作部の当接面が不均一であっても、開閉式操作部前面で操作部カバーを係合することにより、隙間や浮きの発生を抑えることができ、操作部カバーと開閉式操作部の密着性を高めることができる。
【００１７】
第５の発明は、特に、第１〜４のいずれか１つの発明の前記開閉式操作部内に発光ダイオードを備え、前記開閉式操作部前面の、前記発光ダイオードに対応した位置に導光部を設け、操作部カバーには、前記導光部に対応した位置に、前記発光ダイオードの点灯を前記操作部カバー前面から認識可能とする光透過部を設けたものであり、光透過部の形状や色、デザイン等の異なる操作部カバーへの交換が自在に行えるため、製品のバリエーションの拡大に容易に対応することができる。
【００１８】
第６の発明は、特に、第５の発明の前記開閉式操作部前面の導光部周囲に、前記操作部カバー側へ突き出す、周囲への光洩れを防止するための遮光壁を設け、前記操作部カバーが前記開閉式操作部に係合する際、前記遮光壁が嵌まり込む凹部を前記操作部カバー裏面の前記光透過部周囲に設けたものであり、操作部カバー前面に、発光ダイオードの点灯による動作状態表示、例えば通電中や調理中といった表示を複数設ける場合、操作部カバーを開閉式操作部に係合することで、他方の動作状態表示への光漏れを防止するための遮光を容易に構成することができる。さらに、遮光壁の操作部カバー凹部への嵌り込みは、操作部カバーと開閉式操作部の位置決めとしても利用できるため、操作部カバーと開閉式操作部のガタつきを抑制することができ、良好な係合状態を得ることができる。
【００１９】
以下、本発明の実施の形態について、図面を参照しながら説明する。なお、この実施の形態によって本発明が限定されるものではない。
【００２０】
（実施の形態１）
図１〜図８は、本発明の第１の実施の形態における組込式加熱調理器を示すものである。
【００２１】
図５に示すように、組込式加熱調理器は、調理器本体３を流し台４の上面開口部５から挿入し、流し台４の前面開口部６に開閉式操作部１や加熱庫扉７を臨ませて設置される。この状態では、調理器本体３の加熱庫扉７側側面および開閉式操作部１側側面と流し台４の前面開口部６との間には、それぞれ空間８が生じている。
【００２２】
図６に示すように、加熱庫扉７側の空間８および開閉式操作部１側の空間８を埋めるため、加熱庫扉７側サイドカバー９および開閉式操作部１側サイドカバー１０をそれぞれ調理器本体３に装着する。
【００２３】
さらに図７、図８に示すように、操作部カバー２を開閉式操作部１側サイドカバー１０の一部を覆うようにして開閉式操作部１に装着するものである。
【００２４】
図１は、本発明の第１の実施の形態における組込式加熱調理器の、操作部カバーの略構成を示すものである。操作部カバー２右側のサイドカバー１０を覆う延長部２ｃ側から、開閉式操作部１に向かって、係合穴２ｄの開いた複数のフランジ２ｅが伸びている。開閉式操作部１のフランジ２ｅに対向した位置には、フランジ２ｅが嵌まり込む係合凹部１ｃと係合穴２ｄに挿入される係合突起１ｄが設けられている。操作部カバー２左側には複数の係合爪２ｆが、開閉式操作部１の係合溝１ｅに前方から係合するよう設けられている。
【００２５】
図２（ａ）〜（ｄ）は、本発明の第１の実施の形態における組込式加熱調理器の、操作部カバー係合要領を係合部の略断面にて示すものである。
【００２６】
図３、図４は、本発明の第１の実施の形態における組込式加熱調理器の、開閉式操作部を開いた状態を示すものである。
【００２７】
以上のように構成された組込式加熱調理器について、以下その動作、作用を説明する。
【００２８】
まず、開閉式操作部１を開いた状態で、操作部カバー２延長部２ｃ側の係合穴２ｄを開閉式操作部１右側面の係合突起１ｄに右斜め横方向より挿入する。次に、操作部カバー２左側の係合爪２ｆを前方から開閉式操作部１に押し当てることにより、係合爪２ｆは弾性のある樹脂で構成されているため、開閉式操作部１左側面に沿って外側にたわみながら奥側へと移動し、操作部カバー２が開閉式操作部１前面に当接すると同時に開閉式操作部１の係止溝１ｅに嵌り込む。係合状態で係合爪２ｆおよび操作部カバー左側面２ｇは開閉式操作部１左側面よりへこんでいるか面一である。
【００２９】
以上のように、本実施の形態においては、係合部が露出しているため、目視で確認しながら操作部カバー２を取り付けることができ、操作部カバー２の左右を片方ずつ係合しいくので、取付が容易である。さらに、操作部カバー２の延長部２ｃに外力を加えられた場合、延長部２ｃにたわみが生じても、たわみによる係合穴２ｄの横方向への移動量以上に係合穴２ｄと係合突起１ｄの嵌め合いしろを確保していれば、係合穴２ｄが係合凸部１ｄから外れることはない。また、図４に示すように係合状態で係合爪２ｆおよび操作部カバー左側面２ｇは開閉式操作部１左側面よりへこんでいるか面一であるので、操作部カバー２の左側面２ｇやその係合爪２ｆには不意に手指などが引っ掛かることがないため、意図せず係合部が外れることはない。
【００３０】
（実施の形態２）
図９は、本発明の第２の実施の形態における組込式加熱調理器の、操作部カバーの略構成を示すものである。開閉式操作部１前面に凸状の位置決め部１ｆを設け、これと対向した操作部カバー２裏面に凹状の位置決め部２ｈを設け、操作部カバー２が開閉式操作部１と係合される際、前記両者の位置決め部１ｆ、２ｈが嵌合されるものである。
【００３１】
以上のように、本実施の形態においては、位置決め部１ｆ、２ｈにより操作部カバー２と開閉式操作部１のガタつきを抑制することができ、良好な係合状態を得ることができる。さらに、操作部カバー２に横方向の衝撃荷重が加えられた際、位置決め部１ｆ、２ｈにて操作部カバー２と開閉式操作部１とが接触し衝撃を受け止めるため、係合部へ加わる応力を緩和することができ、安定した係合を維持することができる。
【００３２】
なお、操作カバー２に凸状の位置決め部を設け、これと対向した操作部１に凹状の位置決め部を嵌合させても同様の効果が得られる。
【００３３】
（実施の形態３）
図１０は、本発明の第３の実施の形態における組込式加熱調理器の、操作部カバーの略構成を示すものである。
【００３４】
開閉式操作部１左右側面の複数の係合部に加えて、開閉式操作部１前面にも係合爪１ｇが設けられており、それに対向する操作部カバー２側に係合凹部２ｉが設けられている。
【００３５】
図１１は、開閉式操作部前面の係合部の略断面を示すものである。
【００３６】
開閉式操作部１前面の係合爪１ｇは、操作部カバー２の係合凹部２ｉに係合されている。
【００３７】
以上のように、本実施の形態においては、操作部カバー２の中央部が開閉式操作部１に係合されるため、操作部カバー２と開閉式操作部１の当接面が多少不均一であっても、当接面の隙間や浮きの発生を抑えることができ、操作部カバー２と開閉式操作部１前面の密着性を高めることができる。
【００３８】
（実施の形態４）
図１２は、本発明の第４の実施の形態における組込式加熱調理器の、操作部カバーの略構成を示すものである。
【００３９】
開閉式操作部１内には複数の発光ダイオード１１が設けられ、開閉式操作部１前面には発光ダイオード１１に対応した位置に複数の導光部１ｈが設けられている。導光部１ｈには凸状の遮光壁１ｉが形成されている。また、遮光壁１ｉの内側には、発光ダイオード１１の光を拡散し、明るさを均一化するための光拡散シート１２が接着剤等で固定されている。
【００４０】
さらに導光部１ｈに対向した操作部カバー２の複数位置に、発光ダイオード１１の光を透過し操作部カバー２前面を発光する光透過部２ｊが設けられている。
【００４１】
操作部カバー２の光透過部２ｊ以外の部分には、発光ダイオード１１の光が透過しないよう印刷や塗装が施されている。
【００４２】
図１３は、本発明の第４の実施の形態における組込式加熱調理器の、操作部カバーの略横断面および略縦断面を示すものである。操作部カバー２裏面の複数の光透過部２ｊの個々の周囲には凹部２ｋが設けられ、操作部カバー２を開閉式操作部１に装着した際、開閉式操作部１の導光部１ｈ周囲に設けられた遮光壁１ｉが、操作部カバー２裏面の凹部２ｋに嵌り込む。
【００４３】
以上のように、本実施の形態においては、操作部カバー２を開閉式操作部１に装着した際、遮光壁１ｉにより、発光ダイオード１１の光が他の光透過部２ｊに洩れることはない。
【００４４】
また、操作部カバー２と開閉式操作部１の当接面に隙間が生じていても、遮光壁１ｉが操作部カバー２裏面の凹部２ｋに嵌っていれば、発光ダイオード１１の光を遮光することがきる。
【００４５】
さらに、開閉式操作部１の遮光壁１ｉの操作部カバー２凹部２ｋへの嵌り込みは、開閉式操作部と操作部カバー１の位置決めとしても利用できるため、操作部カバー１と開閉式操作部のガタつきを抑制することができ、良好な係合状態を得ることができる。
【産業上の利用可能性】
【００４６】
以上のように、本発明にかかる組込式加熱調理器は、開閉式操作部前面と、設置時に生じる調理器本体側面と流し台前面開口部との空間を覆うための操作部カバーの装着が容易に行えるため、開閉式操作部を有するあらゆる熱源の組込式加熱調理器等の用途にも適用できる。
【図面の簡単な説明】
【００４７】
【図１】本発明の第１の実施の形態における組込式加熱調理器の、操作部カバーの略構成図
【図２】（ａ）〜（ｄ）本発明の第１の実施の形態における組込式加熱調理器の、操作部カバー係合要領を示す略断面図
【図３】本発明の組込式加熱調理器の、開閉式操作部を開いた状態を示す操作部斜視図
【図４】本発明の組込式加熱調理器の、開閉式操作部を開いた状態を示す操作部斜視図
【図５】本発明の組込式加熱調理器を流し台に組み込んだ状態を示す斜視図
【図６】本発明の組込式加熱調理器を流し台に組み込み、サイドカバーを装着した状態を示す斜視図
【図７】本発明の組込式加熱調理器を流し台に組み込み、サイドカバー、操作部カバーを装着した状態を示す斜視図
【図８】本発明の組込式加熱調理器の、開閉式操作部を閉じた状態を示す操作部斜視図
【図９】本発明の第２の実施の形態における組込式加熱調理器の、操作部カバーの略構成図
【図１０】本発明の第３の実施の形態における組込式加熱調理器の、操作部カバーの略構成図
【図１１】本発明の第３の実施の形態における組込式加熱調理器の、開閉式操作部前面の係合部略断面図
【図１２】本発明の第４の実施の形態における組込式加熱調理器の、操作部カバーの略構成図
【図１３】（ａ）本発明の第４の実施の形態における組込式加熱調理器の、操作部カバーの略横断面図（ｂ）同略縦断面図
【図１４】本発明の組込式加熱調理器を組み込む流し台の斜視図
【図１５】従来の操作部カバーの略構成図
【図１６】もうひとつの従来の操作部カバーの略構成図
【符号の説明】
【００４８】
１  開閉式操作部
１ｄ  係合突起
１ｆ  凸状の位置決め部
１ｇ  係合爪
１ｈ  導光部
１ｉ  遮光壁
２  操作部カバー
２ｃ  延長部
２ｄ  係合穴
２ｅ  フランジ
２ｆ  係合爪
２ｈ  凹状の位置決め部
２ｊ  光透過部
２ｋ  凹部
３  調理器本体
４  流し台
５  上面開口部
６  前面開口部
１１  発光ダイオード
【図１】
0004900078.tif 000002
【図２】
0004900078.tif 000003
【図３】
0004900078.tif 000004
【図４】
0004900078.tif 000005
【図５】
0004900078.tif 000006
【図６】
0004900078.tif 000007
【図７】
0004900078.tif 000008
【図８】
0004900078.tif 000009
【図９】
0004900078.tif 000010
【図１０】
0004900078.tif 000011
【図１１】
0004900078.tif 000012
【図１２】
0004900078.tif 000013
【図１３】
0004900078.tif 000014
【図１４】
0004900078.tif 000015
【図１５】
0004900078.tif 000016
【図１６】
0004900078.tif 000017